(57)【要約】【課題】簡単な構造でスープ内に沈んだ具やチャーハン等を確実にすくい取ることができるレンゲを提供する。【解決手段】底部１２から連続して起立した側面部１４を備え、側面部１４の端縁部１４ａから連続して側方へ延出した棒状の保持部１８が設けられている。側面部１４には、側面部１４の端縁部１４ａから底部１２に向かう複数のスリット２８が形成され、側面部１４の一部がくし歯状に形成されている。スリット２８は、底部１２を下にし保持部１８が右側に延出した状態で、側面部１４の手前側にのみ形成されている。【選択図】　　　　図１
0003097852.tif 000002
【実用新案登録請求の範囲】
【請求項１】
底部から連続して起立した側面部を備えたすくい部と、上記側面部の端縁部から連続して側方へ延出した棒状の保持部が設けられ、上記側面部には、上記側面部の端縁部から上記底部に向かう複数のスリットが形成されて、上記側面部の一部がくし歯状に形成され、上記保持部の上記すくい部底部側の面には、上記保持部側方へ突出する係止突起が設けられ、この係止突起の上記すくい部側の部分が、上記保持部の長手方向に対してほぼ直角で平坦な当接部として形成されていることを特徴とするレンゲ。
【請求項２】
上記保持部の先端付近には、このレンゲをフックにかける透孔が形成され、この透孔より僅かに上記すくい部寄りに上記係止突起を備えたことを特徴とする請求項１記載のレンゲ。
【請求項３】
上記スリットは、上記底部を下にし上記保持部が右側に延出した状態で、上記側面部の手前側にのみ形成されていることを特徴とする請求項１記載のレンゲ。
【請求項４】
上記スリットは、上記側面部に上記スリットよりも幅の広い部分を板状に残すようにして複数本形成されたことを特徴とする請求項３記載のレンゲ。
【考案の詳細な説明】
【０００１】
【考案の属する技術分野】
この考案は、中華料理等を食べるときに使用するレンゲに関する。
【０００２】
【従来の技術】
例えばラーメンやチャーハンを食べるときに、レンゲが使用されている。レンゲは、楕円形の平坦な底部と、上記底部に連続して形成された円筒状の側面部からなるすくい部と、すくい部の、長手方向の一端部に連続し側方へ延出する保持部が設けられている。保持部の中央部は、持ちやすいようにわずかに上方へ湾曲し、保持部の先端付近には、フック等に下げる透孔が形成されている。レンゲは、樹脂製や陶器製等、いろいろな素材のものがある。
【０００３】
【考案が解決しようとする課題】
上記従来の技術の場合、ラーメンを食べるときにスープ内に沈んでいるコーン粒のような小さい具をレンゲですくうとき、レンゲはスープもいっしょにすくってしまうため、スープの水圧によって具がレンゲのすくい部から落ちてしまい、目的の具を効率よく得ることが難しかった。
【０００４】
これを解決するために、実開平１−１５５８７５号公報に開示されているように、従来からすくい部の底部にスープをきるための透孔が形成されたレンゲがある。しかし、具が透孔をふさいでしまい、すばやくスープを落とすことができなかった。しかも、レンゲを傾けるなどして、スープをきらなければならず、使用方法が面倒であった。
【０００５】
また、レンゲで皿に盛られたチャーハンを食べるときは、レンゲは厚みがあり滑りやすいことから、チャーハンの米粒がすくいにくいという問題があった。
【０００６】
この考案は上記従来の問題点に鑑みてなされたものであり、簡単な構造でスープ内に沈んだ具やチャーハン等を確実にすくい取ることができるレンゲを提供することを目的とする。
【０００７】
【課題を解決するための手段】
この考案は、底部から連続して起立した側面部を備えたすくい部と、上記側面部の端縁部から連続して側方へ延出した棒状の保持部が設けられ、上記側面部には、上記側面部の端縁部から上記底部に向かう複数のスリットが形成されて、上記側面部の一部がくし歯状に形成され、上記保持部の上記すくい部底部側の面には、上記保持部側方へ突出する係止突起が設けられ、この係止突起の上記すくい部側の部分が、上記保持部の長手方向に対してほぼ直角で平坦な当接部として形成されているレンゲである。上記保持部の先端付近には、このレンゲをフックにかける透孔が形成され、この透孔より僅かに上記すくい部寄りに上記係止突起が設けられている。上記スリットは、上記側面部に上記スリットよりも幅の広い部分を板状に残すようにして複数本形成されている。
【０００８】
上記スリットは、上記底部を下にし上記保持部が右側に延出した状態で、上記側面部の手前側にのみ形成されている。また、上記スリットは、上記側面部の先端部側に形成されている。
【０００９】
この考案のレンゲは、右手に保持部を持つ場合、スリットが手前側にあるため、皿に盛られたチャーハンを手前にすくうときにスリットにより形成された角部に引っかかり、皿からきれいに取ることができる。また、左手に保持部を持つ場合、例えばラーメンを食べる際に右手に麺をつかむはしを保持し左手にスープやスープに沈んだ細かい具を拾うレンゲを保持するとき、レンゲのスリットが手前側に無いため、レンゲを手前に傾けてスープをすくって飲むことができる。そしてスープに沈んだ細かい具を拾うときは、れんげを向こう側に傾けてスープと具をすくい、その傾きのまま持ち上げることでスープがスリットから流れ落ち、具だけがレンゲ内に残って食べることができる。
【００１０】
【考案の実施の形態】
以下、この考案の実施形態について図面に基づいて説明する。図１，図２は、この考案の一実施形態を示すもので、この実施形態のレンゲ１０は、例えばＡＢＳ樹脂で形成されている。レンゲ１０は、楕円形の底部１２と、底部１２の周囲に形成され底部１２に対して所定角度に開いて立ちあがる側面部１４からなるすくい部１６が設けられている。側面部１４の底部１２に対する角度は、底部１２の長手方向の、一方の端部１２ａに近づくにつれて大きくなっている。
【００１１】
側面部１４の、底部１２の長手方向の他方の端部１２ｂには、側方へ延出する棒状の保持部１８が一体に形成されている。保持部１８の長手方向に沿う両側縁部は上方に折り曲げられている。また保持部１８の長手方向の中央部は、持ちやすいようにわずかに上方へ湾曲している。保持部１８の基端部付近には、保持部１８の両側縁部が側面部１４の端縁部１４ａから所定角度で立ち上がって形成される当接部２０が各々形成されている。さらに、保持部１８の先端付近には、フック等にレンゲ１０をかける透孔２２が形成されている。
【００１２】
保持部１８の、すくい部１６の底部１２側の面には、透孔２２より少しすくい部１６寄りに、側方へ突出する係止突起２４が設けられている。係止突起２４のすくい部１６側の部分は、保持部１８の長手方向に対してほぼ直角で平坦な当接部２６として形成されている。
【００１３】
すくい部１６の側面部１４は、図１に示すように保持部１８を右に、すくい部１６を左に位置したとき、手前側に位置する側面部１４に、７本のスリット２８が形成され、くし歯状に形成されている。スリット２８は、端縁部１４ａに対してほぼ直角に形成され、側縁部１４の端縁部１４ａから側面部１４の途中までの長さに設けられている。各スリット２８は、側面部１４の端縁部１４ａの半周にかけて、ほぼ等間隔に形成されている。各スリット２８間の側面部１４の角は丸く形成されている。
【００１４】
次にこの実施形態のレンゲ１０の使用方法について説明する。まず、スープの中に固形の食品が入っている料理、例えばラーメンやワンタン等を食べる場合は右手にはしを持ち、図２に示すように左手３０にレンゲ１０の保持部１８を持つ。そしてスープ３２をすくって飲むときは、側面部１４の、スリット２８が無い側を手前に傾けてスープ３２をすくう。このときは、手前側にスリット２８が無いため、確実にスープをすくうことができる。一方、スープ３２に沈んだ細かい具、例えばコーン３４をスープ３２の中から拾うときは、スープ３２とコーン３４をすくい、側面部１４のスリット２８側を向こう側に傾けることでスープ３２がスリット２８から流れ落ち、コーン３４だけがレンゲ１０内に残って食べることができる。
【００１５】
また、固形の料理、例えばチャーハン等を皿から取って食べる際は、レンゲ１０の保持部１８を右手で持ち、チャーハンを手前側にすくう。そうすると、すくい部１６の側面部１４に形成されたくし歯状のスリット２８に米粒等が効果的に引っかかって取りやすく、皿からきれいにすくい取ることができる。
【００１６】
なお、ラーメンやワンタンを食べる途中や運ぶとき等に、レンゲ１０を器に置きたいときは、当接部２０または当接部２６を器の縁部にかける。これにより、レンゲ１０が器の縁からすべってラーメンやワンタンのスープの中に落ちることがない。
【００１７】
この実施形態のレンゲ１０によれば、簡単な構造でスープ３２内に沈んだコーン３４を、簡単にすくい取り、効率よく食べることができる。すくい部１６の片側のみにスリット２８が形成されているため、レンゲ１０を傾ける向きを変えることにより、スープ３２をすくって飲むことができる。また、皿に盛られたチャーハンを食べる時も、きれいで簡単にすくうことができる。スリット２８は、すくい部１６の内側にコーン３４が入っていても十分にスープ３２を通過させることができ、スープ３２を早く流すことができる。
【００１８】
なお、この考案のレンゲは上記実施の形態に限定されるものではなく、スリットの幅や長さ、数等、自由に変更可能である。スリットの形状を変えることで、ラーメンの具以外に麺も取りやすくすることができる。また、レンゲの素材は、ＡＢＳ樹脂以外に陶器やメラミン樹脂等、自由に変更可能である。そしてこのレンゲには、底部と保持部の間付近に、スープを流す透孔を設け、スープをさらに効率よく流すようにしてもよい。
【００１９】
【考案の効果】
この考案のレンゲは、簡単な構造で確実にスープ内に沈んだ具をすくって食べることができ、またレンゲを傾ける向きを変えることにより、スープをすくうことができる。しかも、皿に盛られたチャーハン等も、簡単にすくい取ることができる。さらに、保持部の当接部を器の縁部にかけることにより、レンゲが器の縁からすべってラーメンやワンタンのスープの中に落ちることがない。
【図面の簡単な説明】
【図１】この考案の一実施形態のレンゲを示す斜視図である。
【図２】この実施形態のレンゲの使用状態を示す斜視図である。
【符号の説明】
１０　レンゲ
１２　底部
１４　側面部
１４ａ　端縁部
１６　すくい部
１８　保持部
２０，２６　当接部
２２　透孔
２４　係止突起
２８　スリット
【図１】
0003097852.tif 000003
【図２】
0003097852.tif 000004